(57)【要約】【課題】端末装置への機能集約要求に従い、複合端末装置の機能数は今後の増加が予想される。それに伴って、機能ごとに紙葉類の出入口が設けられるため、利用者にとって操作が煩雑になるという問題がある。【解決手段】紙葉類を取り扱う紙葉類取扱部と、利用者との間で情報の表示と入力を行う表示入力部と、利用者を特定する情報を取り込む認証部と、無線や有線で情報の送受信を行う通信部と、それらを制御する制御部と、制御プログラムを記録するプログラムメモリとを少なくとも有する紙葉類取扱端末において、前記紙葉類取扱部は複数の機能ユニットを有し、前記複数の機能ユニットの紙葉類出入口と情報コネクタが同じ位置に設けられている前記紙葉類取扱部である構成とすることで解決できる。【選択図】図３
2004272606.tif 000002
【特許請求の範囲】
【請求項１】
異なる機能を有する機能ユニットを複数個収納した筐体と、この筐体の表面に設けられ利用者からの情報の入力と表示を行なう表示入力部と、この表示入力部からの情報に応じて前記機能ユニットの運転を制御する制御部と、前記機能ユニットとから出力される紙葉類を搬送する搬送路とを備えた紙葉類取扱端末において、
前記機能ユニットと前記搬送路との間に接続された出入口と、前記機能ユニットと前記制御部との間に接続される情報コネクタとを備え、この情報コネクタと前記出入口は前記機能ユニットそれぞれの所定の位置に取付けられていることを特徴とする紙葉類取扱端末。
【請求項２】
請求項１記載の紙葉類取扱端末において、
前記機能ユニットは機能に対応した機能ＩＤが付与され、前記制御部は前記紙葉類取扱部に備えられた前記機能ユニットの機能ＩＤを受信して、前記表示入力部における処理選択画面の選択肢を変更する機能を有することを特徴とする紙葉類取扱端末。
【請求項３】
請求項１記載の紙葉類取扱端末において、
前記機能ユニットは機能に対応した機能ＩＤが付与され、前記制御部は前記紙葉類取扱部に備えられた前記機能ユニットの機能ＩＤを受信して、前記表示入力部における処理選択画面の選択肢を変更する機能を備え、前記制御部は前記プログラムメモリから前記機能ＩＤに対応した制御プログラムを引き出すことを特徴とする紙葉類取扱端末。
【請求項４】
紙葉類を取り扱う紙葉類取扱部と、異なる機能を有する機能ユニットを複数個収納した筐体と、この筐体の表面に設けられ利用者からの情報の入力と表示を行なう表示入力部と、この表示入力部からの情報に応じて前記機能ユニットの運転を制御する制御部と、利用者を特定する情報を送受信と、前記機能ユニットとから出力される紙葉類を搬送する搬送路とを備えた紙葉類取扱装置において、
前記機能ユニットは紙幣を出し入れする第１の機能ユニットと印刷機能を備えた第２の機能ユニットとであり、紙葉類の情報を読み取る読取部と、前記紙葉類出入口と前記複数の機能ユニットと前記読取部とを同一の搬送路に接続したものであって、前記通信部により受信した情報を前記印刷機能を備えた機能ユニットで印刷して発行することを特徴とする紙葉類取扱端末。
【請求項５】
請求項４記載の紙葉類取扱端末において、
前記紙葉類取扱部は、紙葉類を出し入れする紙葉類出入口と、紙幣を出し入れする機能を備えた機能ユニットと、紙幣以外の紙葉類を収納する機能を備えた機能ユニットと、紙葉類の情報を読み取る読取部とを備え、前記紙葉類出入口と複数の前記機能ユニットを同一の搬送路に接続した紙葉類取扱部であることを特徴とする紙葉類取扱端末。
【請求項６】
請求項４記載の範囲の紙葉類取扱端末において、
前記搬送路は、前記紙幣と前記紙幣以外の紙葉類を搬送する速度を変更する搬送路であることを特徴とする紙葉類取扱端末。
【請求項７】
請求項４乃至６の何れかに記載の紙葉類取扱端末において、
前記表示入力部に前記紙幣以外の紙葉類から読み取った情報を表示することを特徴とする紙葉類取扱端末。
【請求項８】
請求項４乃至７の何れかに記載の紙葉類取扱端末において、
前記紙葉類出入口は、前記紙幣と前記紙幣以外の紙葉類を取り込むときに、取り込み口の寸法を制御する紙葉類出入口であることを特徴とする紙葉類取扱端末。
【請求項９】
請求項４乃至８の何れかに記載の紙葉類取扱端末において、
前記機能ユニットは、紙幣を出し入れする機能を備える機能ユニット、あるいは紙葉類に情報を印刷して発行する機能を備える機能ユニット、あるいは紙幣以外の紙葉類を収納する機能を備える機能ユニット、あるいは有価証券類を保管し発行する機能を備える機能ユニットのうち、複数種類の機能ユニットを有する前記紙葉類取扱部であることを特徴とする紙葉類取扱端末。
【請求項１０】
請求項９記載の範囲の紙葉類取扱端末において、
複数種類の紙葉類を一括して出し入れする前記紙葉類取扱部であることを特徴とする紙葉類取扱端末。
【発明の詳細な説明】
【０００１】
【発明の属する技術分野】
本発明は、紙葉類取引端末に関するものである。
【０００２】
【従来の技術】
現金とチケットを同じ装置で扱うものとして、例えば特開平８−２６３７２６号公報に示された「現金自動取引装置およびチケット取引システム」がある。ここには、支払取引機能あるいは料金払込機能と、預金取引機能と、単票発行機と、チケット発券機能とを備えた現金自動取引装置が示されている。
【０００３】
また他の例としては、特開２００２−４２１８１号公報に示された「チケット発券装置、チケット発券方法および記録媒体」がある。ここでも、現金自動預入払出機（ＡＴＭ）にチケットや地図、時刻表を発行する機能を付加した装置が示されている。
【０００４】
また、特開平５−３４２４５２号公報に示された「自動出金機」、あるいは特開平１０−１０５７９７号公報に示された「小切手発行機能付き現金自動取引装置」には、小切手に日付を印刷して発行する装置が示されている。
【特許文献１】
特開平８−２６３７２６号公報
【特許文献２】
特開２００２−４２１８１号公報
【特許文献３】
特開平５−３４２４５２号公報
【特許文献４】
特開平１０−１０５７９７号公報
【０００５】
【発明が解決しようとする課題】
上記従来技術の例のように、現金を取り扱う装置に、チケット発券等の機能を付加した装置が増えている。端末装置への機能集約要求に従い、複合端末装置の機能数は今後の増加が予想される。
【０００６】
それに伴って、機能ごとに紙葉類の出入口が設けられるため、利用者にとって操作が煩雑になるという問題がある。
【０００７】
また、設置場所により端末装置に要求される機能が異なるため、設置場所に合わせて専用の端末装置を製作する必要があり、コストが増大するという問題もあった。
【０００８】
本発明の目的は、ひとつの出入り口で紙幣やチケット、プリペイドカード、普通紙などの薄く柔軟な紙葉類を取り扱うことが可能な紙葉類取扱端末を提供することにある。
【０００９】
【課題を解決するための手段】
上記目的は、異なる機能を有する機能ユニットを複数個収納した筐体と、この筐体の表面に設けられ利用者からの情報の入力と表示を行なう表示入力部と、この表示入力部からの情報に応じて前記機能ユニットの運転を制御する制御部と、前記機能ユニットとから出力される紙葉類を搬送する搬送路とを備えた紙葉類取扱装置において、前記機能ユニットと前記搬送路との間に接続された出入口と、前記機能ユニットと前記制御部との間に接続される情報コネクタとを備え、この情報コネクタと前記出入口は前記機能ユニットそれぞれの所定の位置に取付けられていることにより達成される。
【００１０】
また、上記目的は、前記機能ユニットは機能に対応した機能ＩＤが付与され、前記制御部は前記紙葉類取扱部に備えられた前記機能ユニットの機能ＩＤを受信して、前記表示入力部における処理選択画面の選択肢を変更する機能を有することにより達成される。
【００１１】
また、上記目的は、前記機能ユニットは機能に対応した機能ＩＤが付与され、前記制御部は前記紙葉類取扱部に備えられた前記機能ユニットの機能ＩＤを受信して、前記表示入力部における処理選択画面の選択肢を変更する機能を備え、前記制御部は前記プログラムメモリから前記機能ＩＤに対応した制御プログラムを引き出すことにより達成される。
【００１２】
また、上記目的は、紙葉類を取り扱う紙葉類取扱部と、異なる機能を有する機能ユニットを複数個収納した筐体と、この筐体の表面に設けられ利用者からの情報の入力と表示を行なう表示入力部と、この表示入力部からの情報に応じて前記機能ユニットの運転を制御する制御部と、利用者を特定する情報を送受信と、前記機能ユニットとから出力される紙葉類を搬送する搬送路とを備えた紙葉類取扱装置において、前記機能ユニットは紙幣を出し入れする第１の機能ユニットと印刷機能を備えた第２の機能ユニットとであり、紙葉類の情報を読み取る読取部と、前記紙葉類出入口と前記複数の機能ユニットと前記読取部とを同一の搬送路に接続したものであって、前記通信部により受信した情報を前記印刷機能を備えた機能ユニットで印刷して発行することにより達成される。
【００１３】
また、上記目的は、前記紙葉類取扱部は、紙葉類を出し入れする紙葉類出入口と、紙幣を出し入れする機能を備えた機能ユニットと、紙幣以外の紙葉類を収納する機能を備えた機能ユニットと、紙葉類の情報を読み取る読取部とを備え、前記紙葉類出入口と複数の前記機能ユニットを同一の搬送路に接続した紙葉類取扱部であることにより達成される。
【００１４】
また、上記目的は、前記搬送路は、前記紙幣と前記紙幣以外の紙葉類を搬送する速度を変更する搬送路であることにより達成される。
【００１５】
また、上記目的は、前記表示入力部に前記紙幣以外の紙葉類から読み取った情報を表示することにより達成される。
【００１６】
また、上記目的は、前記紙葉類出入口は、前記紙幣と前記紙幣以外の紙葉類を取り込むときに、取り込み口の寸法を制御する紙葉類出入口であることにより達成される。
【００１７】
また、上記目的は、前記機能ユニットは、紙幣を出し入れする機能を備える機能ユニット、あるいは紙葉類に情報を印刷して発行する機能を備える機能ユニット、あるいは紙幣以外の紙葉類を収納する機能を備える機能ユニット、あるいは有価証券類を保管し発行する機能を備える機能ユニットのうち、複数種類の機能ユニットを有する前記紙葉類取扱部であることにより達成される。
【００１８】
また、上記目的は、複数種類の紙葉類を一括して出し入れする前記紙葉類取扱部であることにより達成される。
【００１９】
【発明の実施の形態】
現金自動預入払出機（ＡＴＭ）は勿論のこと、端末装置には各種乗車券の販売機や、近年では、コンサートチケットの自動販売機などがあり、今後もこれらの端末装置の種類は益々増えるものと予想される。
これら端末装置の設置場所としては、例えば、コンサートチケットの販売機はコンビニエンスストアーやチケット販売専門店などに設置されており、少なくとも銀行内に設置されることはない。
このように、これら端末装置は機能ユニットの種類によって設置場所が限定される。
【００２０】
ところで、これらの端末装置は機能ユニットの種類ごとにそれぞれ製造されており、機能ユニット間の互換性がなく、非常に無駄が多い。
従って、一台の端末に複数種類の機能ユニットを備えていれば、例えば不特定多数の人が集まる駅等で複数種類の機能ユニットから希望のチケットを入手することが可能となりメリットが大きい。
【００２１】
ところが、仮に複数種類の機能ユニットを有する端末を合体させて１台に集約させた場合、機能ユニットごとにチケット等の出し入れ口が異なってしまうという問題があり、使用者にとっては操作が複雑になるという問題がある。
【００２２】
そこで、本発明の発明者らはチケット等の出入口を１箇所にすることを種々検討した結果、以下のような実施例を得た。
【００２３】
以下に、本発明の一実施例を示す。
図１は、本発明の一実施例を備えた紙葉類取扱端末の概略を説明する斜視図である。
図２は、この紙葉類取扱端末の構成を説明するブロック図である。
図１、図２において、１は紙葉類取扱端末を示す。２は紙葉類取扱部であり、例えば紙幣やチケット、プリペイドカードなどの屈曲可能な紙葉類を取扱い、紙葉類の出し入れや保管、蓄積を行う。そのため、内部には図２に示した複数の機能ユニット１７を備えている。３は表示入力部であり、利用者への情報伝達や、利用者からの情報入力を行う。例えばタッチパネルなどの表示装置と入力装置が一体となったものである。４は認証部であり、利用者を特定するものである。例えば、磁気や無線のカード読み取り装置などである。５は通信部であり、通信回線を介して紙葉類取扱端末１と外部との情報伝達を行う。例えば、有線回線で接続するモデムや、無線回線で接続する電波の送受信機、あるいは赤外線通信の送受信機などである。
【００２４】
これらの構成要素は、図２に示すように、制御部６によって、その動作が制御される。プログラムメモリ７は、例えば書き換え可能な読み取りメモリ（ＰＲＯＭ：  Ｐｒｏｇｒａｍｍａｂｌｅ  Ｒｅａｄ  Ｏｎｌｙ  Ｍｅｍｏｒｙ）からなり、紙葉類取扱端末１の制御プログラムを記録する。制御部６は、プログラムメモリ７から処理に関わる制御を記述したプログラムを読み込み実行する。紙葉類取扱部２に備えた機能ユニット１７は、それぞれ機能を示す機能ＩＤが付与されており、機能ＩＤにより制御部６は制御内容を決定して、プログラムメモリ７から選択する。
【００２５】
図３は、本発明の一実施例を備えた紙葉類取扱部を説明するための概略構成図である。
図３において、２は紙葉類取扱部を示す。シャッタ１１は、紙葉類出入口１２の一面に設けられ、紙葉類出入口１２を開閉して、利用者が紙葉類の出し入れを可能にする。この紙葉類出入口１２は、束状に重なった紙葉類を１枚ずつに分離して、搬送路１３へ送り出す。また、搬送路１３から１枚ずつ送られる紙葉類を束状に重ねて集積するものである。搬送路１３は、紙葉類を各構成要素間で搬送するものであり、例えばベルトやローラによって紙葉類を挟んで搬送する。読取部１４は、紙葉類の情報を読み取るものである。
例えば、ＣＣＤセンサなどを用いて、画像などの光学的情報を読み取ることや、磁気センサを用いて磁気情報を読み取ること、距離センサを用いて厚さ情報を読み取る。ゲート１５は、搬送路１３の接続状態を切り替えて、紙葉類の搬送方向を変換する。一時保管庫１６は、１回の取引が行われる範囲で、紙葉類を一時的に保管するものである。機能ユニット１７は、紙葉類取扱部２に複数設けられており、ここでは一例として１７ａ〜１７ｆの６個を搭載した構造を示している。
【００２６】
入金庫１７ａは利用者が投入した紙幣を収納する金庫であり、出金庫１７ｂは利用者へ払い出す紙幣を収納する金庫である。なお、入金庫と出金庫の機能は同じ金庫が合わせ持つことができ、入金した紙幣を出金に使用する構成もある。伝票保管庫１７ｃは、振込伝票のような取引情報が書かれた紙葉類を保管するものである。第１の印刷部１７ｄと、第２の印刷部１７ｅは、紙葉類を収納する部分と紙葉類に印刷する部分とを備え、印刷した紙葉類を送り出すものである。
一例として、第１の印刷部１７ｄは、厚紙のチケット原紙を収納し、それにチケット情報を印刷して送り出す。第２の印刷部１７ｅは、普通紙を収納し、それに地図や領収情報を印刷して送り出すものである。有価証券保管庫１７ｆは、例えばプリペイドカードなどの金銭的価値を有する紙葉類を保管し、要求に従い送り出すものである。
【００２７】
以上の機能ユニット１７に示した機能は一例であり、設置場所により他の機能が要求されることもあり、これらに限定されるものではない。スロット１８は機能ユニット１７を挿入する筐体であり、その一端は搬送路１５に接続して紙葉類を出し入れできるようになっている。また、スロットコネクタ１９を備え、機能ユニット１７と情報を伝達する。扉２０は操作側あるいは背面に設けられ、紙葉類取扱部２のスロット１８に近接した筐体を開閉できるようになっている。それにより、スロット１８に納めた機能ユニット１７を出し入れする。
【００２８】
図４、図５、図６で、本発明の一実施例を備えたそれぞれの機能ユニットの構造を示す。
図４は、入金庫１７ａの構成を示す図である。
図５は、伝票保管庫１７ｄの構成を示す図である。
図６は、印刷部１７ｄの構成を示す図である。
図４において、入金庫１７ａは、ボックス５１と、搬送ローラ５２と、コンベア５３と、押板５４とからなる。紙幣Ｂは、ボックス５１に設けられた出入口５５から取り込まれ、搬送ローラ５２と押板５４、あるいは既に収納された紙幣Ｂとの間に収納される。コンベア５３と押板５４は図示しないモータにより駆動されており、図示しない通過センサにより収納された紙幣Ｂの枚数を計数して、収納に適当な位置に制御される。
入金庫１７ａはユニットコネクタ５６（情報コネクタとも言う）を備え、入金機能を示す機能ＩＤの送信や、通過センサやモータなどの検知、制御情報を紙葉類取扱部２あるいは制御部６との間で送受信する。
また、出入口５５とユニットコネクタ５６は、予め決められた位置ｈとｓとに設けられる。それによって、スロット１８に挿入したときに、搬送路１３からの紙幣の受け渡しや、スロットコネクタ１９との情報の授受を正確に行う。
【００２９】
図５において、伝票保管庫１７ｃは、ボックス６１と、取込搬送路６２と、トレー６３とからなり、伝票類Ｐを出入口６４から取り込む。伝票類Ｐは、取込搬送路６２からトレー６３へ送り込まれて保管される。
伝票保管庫１７ｃにおいても、入金庫１７ａと同様に、出入口６４とユニットコネクタ６５は、予め決められた位置ｈとｓとに設けられる。それによって、スロット１８に挿入したときに、搬送路１３からの伝票類の受け渡しや、スロットコネクタ１９との情報の授受を正確に行う。
【００３０】
図６において、第１の印刷部１７ｄは、ボックス７１と、搬送ローラ７２と、原紙ホルダ７３と、印刷器７４からなり、原紙ホルダ７３から引き出されたチケット類の原紙に、印刷器７４によりチケット情報を印刷して送り出す。
第１の印刷部１７ｄおいても、入金庫１７ａと同様に、出入口７５とユニットコネクタ７６は、予め決められた位置ｈとｓとに設けられる。それによって、スロット１８に挿入したときに、搬送路１３へのチケット類の受け渡しや、スロットコネクタ１９との情報の授受を正確に行う。
【００３１】
このような構成の紙葉類取扱端末１での取引手順の一例と、処理選択画面の一例を図７及び図８で説明する。
図７は、処理の大枠を説明するフロー図である。
図８は、処理選択画面の一例を示す図である。
図２に示した制御部６は以下の制御下のもとで進行する。
図７において、ステップ１０１では図１に示した紙葉類取引端末１の表示入力部３に処理選択画面を表示する。この処理選択画面は、図８に示すように紙葉類取扱端末１が備える機能を一覧で表示する。
図２に示した機能ユニット１７は機能を示す機能ＩＤを送出するので、制御部６は機能ＩＤに対応する図８の選択肢２５を表示入力部３に表示する。なお、利用者が近づくまで、広告などの待機画面を表示しても良い。
【００３２】
利用者により処理が選択されたあと、ステップ１０２でそれぞれの処理に分岐する。ここでは一例として、ステップ１０３の入金処理、ステップ１０４の出金処理、ステップ１０５の振込処理、ステップ１０６の発券処理を示す。また、上記以外の機能が追加された場合は、ステップ１０７の追加処理として、分岐後の処理に加える。
【００３３】
図９は、ステップ１０３の入金処理が選択されたときの処理の流れと、紙葉類取引端末１の構成要素との関わりを示すフロー図である。
【００３４】
図９において、利用者を特定するため、ステップ１１１で個人認証が行われる。ここでは、図２で示した認証部４でカードの情報を読み取り、通信部５を介して上位の管理システムと照合して、利用者を特定する。
次に、ステップ１１２で利用者が入金する紙幣を紙葉類取引端末１へ投入する。そのため、図３に示したシャッタ１１を開き、紙葉類出入口１２に紙幣を投入できるようにする。利用者は紙幣を投入したあと、所定時間経過後に自動的にシャッタ１１を閉める、あるいは表示入力部３からの投入完了指示によりシャッタ１１を閉める。
【００３５】
ステップ１１３で図３に示した紙葉類出入口１２の紙幣を１枚ずつに分けて取り込む。紙幣は搬送路１３により、読取部１４へ搬送される。読取部１４では紙幣情報を読み取って、取扱の可否および金種を判断する。この判断によりゲート１５を切り替えて、取扱可の紙幣は一時保管庫１５へ収納し、取扱否の紙幣は紙葉類出入口１２へ返却する。
【００３６】
紙幣の取り込みが終了したら、一時保管庫１６に収納された紙幣の金種と枚数を表示入力部３に表示して、ステップ１１４で利用者の確認を求める。入金額が正しいことが確認されたら、ステップ１１５で紙幣の収納と、上位の管理システムに保管される利用者の口座への入金登録を行う。紙幣は図３に示す一時保管庫１６から搬送路１３を通して入金庫１７ａへ搬送される。
【００３７】
入金処理の結果は、ステップ１１６の第２の印刷部１７ｅ（図３参照）で取引票に印刷され、搬送路１３へ送り出される。ステップ１１７で取引票は紙葉類出入口１２に収納されて、シャッタ１１を開くことにより、利用者へ引き渡される。
【００３８】
以上が図７に示したステップ１０３である入金処理の手順の一例である。
このように、図３に示した搬送路１３に入金庫１７ａと第２の印刷部１７ｅとが接続されることにより、紙葉類出入口１２に紙幣の挿入と取引票の発行を集約することができる。それにより、利用者は紙葉類出入口１２のみにアクセスすればよく、操作が簡便になる。
【００３９】
次に、図１０のフローチャートを用いて、図７のステップ１０４である出金処理が選択されたときの処理の流れと、紙葉類取引端末１の構成要素との関わりを示す。
図１０は、出金処理を説明するフロー図である。
図１０において、まず、利用者を特定するため、ステップ１２１の個人認証が行われる。ここでは、認証部４（図２参照）でカードの情報を読み取り、さらに暗証番号などを表示入力部３から入力し、通信部５を介して上位の管理システムと照合して、利用者を特定する。
利用者は、表示入力部３からステップ１２２で出金額を指定する。上位の管理システムで出金の可否を判断した後、可能であれば出金庫１８（図３参照）から指定の金額にあたる紙幣をステップ１２３で送り出す。紙幣は搬送路１３で紙葉類出入口１２まで搬送されて、紙葉類出入口１２に集積される。
【００４０】
ここで、ステップ１２４では出金処理の結果を第２の印刷部１７ｅで取引票として印刷する。搬送路１３を通して、取引票を紙葉類出入口１２まで搬送し、すでに集積されている紙幣と重ねて集積する。
そして、ステップ１２５でシャッタ１１を開き、紙幣と取引票とを重ねて利用者へ引き渡す。
【００４１】
以上が図７に示したステップ１０４である出金処理の手順の一例である。
尚、紙幣と取引票とは別個に引き渡しても良いが、上記のように重ねて引き渡すことにより、利用者は一度に受け取り、手数を省くことができ、また時間も短縮される。
【００４２】
次に、図１１のフローチャートで図７のステップ１０５である振込処理が選択されたときの処理の流れと、紙葉類取引端末１の構成要素との関わりを示す。
【００４３】
図１１は、振込処理を説明するフロー図である。
図１１において（図３を引用しながら説明する）、振込処理の選択がされたら、振込先やその口座番号、振込額など振込情報の入力を行う。ここで、ステップ１３１である振込情報の入力方法を選択する。従来と同様に、ステップ１３５にて表示入力部３（図８参照）からタッチパネルのキー押下により入力することもできる。また、ステップ１３２のように振込用紙等の振込情報が記載された紙葉類を読み取って入力することもできる。
読み取りによる入力が選択されたら、シャッタ１１を開いて、紙葉類出入口１２へ振込用紙等を投入できるようにする。利用者は振込用紙等を投入したあと、所定時間経過後に自動的にシャッタ１１を閉める、あるいは表示入力部３からの投入完了指示によりシャッタ１１を閉める。
【００４４】
ステップ１３３で紙葉類出入口１２から振込用紙等を搬送路１３へ送り出し、ステップ１３４の読取部１４で振込用紙等の画像情報を読み取る。このとき、振込用紙等の文字情報を正確に読み取るため、紙幣を搬送するときの速度より低くするなど、搬送路１３の速度を変えても良い。読み取った振込用紙等は一時保管庫１６へ収納する。
【００４５】
このように振込用紙等の読み取りあるいはキー入力による振込情報を表示入力部３に示して、ステップ１３６で利用者が確認する。
【００４６】
次に、ステップ１３７で振込代金の支払い方法を選択する。現金が選択された場合は、再度シャッタ１１を開けて、紙葉類出入口１２へ紙幣を投入できるようにする。利用者が紙葉類出入口１２へ投入した紙幣を搬送路１３へ送り出し、読取部１４で金種を判別して、ステップ１３８で一時保管庫１６へ収納する。投入金額を表示入力部３に表示して、ステップ１３９で利用者が確認する。
【００４７】
一方、利用者の口座からの振替が選択された場合は、認証部４でカード等の情報を読み取り、さらにステップ１４０は表示入力部３から暗証番号を入力することで利用者を認証する。そして、ステップ１４１で上位の管理システムに振込情報を転送し、振込処理の登録を行う。また、ステップ１４２は第２の印刷部１７ｅで振込処理の取引票を印刷し、搬送路１３を通して紙葉類出入口１２へ収納する。
振込が現金で行われ、残金が発生している場合は、ステップ１４３で出金庫１８から紙幣を取り出して、紙葉類出入口１２へ収納する。さらに、振込用紙等で振込情報の入力を行った場合は、一時保管庫１６から振込用紙等を送り出して、紙葉類出入口１２へ収納する。利用者へ引き渡す紙葉類を紙葉類出入口１２へすべて収納した後、シャッタ１１を開けて利用者が紙葉類を取り出せるようにする。
【００４８】
このように、取引票や振込用紙等や残金を一括して利用者へ引き渡すことにより、利用者は紙葉類出入口１２のみにアクセスすればよく、操作が簡便になる。また、紙幣と振込用紙等を同じ紙葉類出入口１２や搬送路１３で取り扱うことにより、読取部１４を共用することができる。
【００４９】
なお、上記のステップ１４２では、振込用紙等は利用者へ返却するとしたが、ゲート１５を切り替えて、搬送路１３から伝票保管庫１９へ収納しても良い。
【００５０】
さらに、上記の手順では、振込用紙等の取り込みと紙幣の取り込みを分けて実施したが、両者を重ねて投入し、読取部１４において判別する手順であっても良い。
【００５１】
次に、図１２を用いて、図７のチケット等の発券処理が選択されたときの処理の流れと、紙葉類取引端末１の構成要素との関わりを示す。
図１２は、チケット等の発券処理を説明するフロー図である。
図１２において（図３を用いて説明する）、ステップ１５１では表示入力部３（図８参照）に購入可能なチケットや有価証券などを表示し、利用者が選択入力する。それに従い、ステップ１５２では代金および支払方法選択の表示を行う。現金が選択された場合は、シャッタ１１を開けて、紙葉類出入口１２へ紙幣を投入できるようにする。ステップ１５３では利用者が紙葉類出入口１２へ投入した紙幣を搬送路１３へ送り出し、読取部１４で金種を判別して、一時保管庫１６へ収納する。ステップ１５４で投入金額を表示入力部３に表示して利用者が確認する。
【００５２】
一方、ステップ１５５では利用者の口座からの振替が選択された場合は、認証部４で利用者を認証する。そして、ステップ１５６では上位の管理システムに利用者の口座からの引き落とし処理の登録を行う。
【００５３】
代金の処理が済んだあと、ステップ１５７で第１の印刷部１７ｄでチケットの印刷を行い、搬送路１３へ送り出す。あるいは有価証券保管庫１７ｆから、所定の有価証券を引き出して、搬送路１３へ送り出す。チケットや有価証券などは、搬送路１３を通して紙葉類出入口１２へ収納される。また、振込が現金で行われ、残金が発生している場合は、ステップ１５８で出金庫１８から紙幣を取り出して、紙葉類出入口１２へ収納する。
さらに、領収書などを必要とする場合は、第２の印刷部１７ｅで印刷して、搬送路１３を通して紙葉類出入口１２へ収納する。ステップ１５８で利用者へ引き渡す紙葉類を紙葉類出入口１２へすべて収納した後、シャッタ１１を開けて利用者が紙葉類を取り出せるようにする。
【００５４】
このように、チケットや有価証券、残金を一括して利用者へ引き渡すことにより、利用者は紙葉類出入口１２のみにアクセスすればよく、操作が簡便になる。
【００５５】
さらに、多様な紙葉類を取り扱うとき、技術的に困難な点として、紙葉類を１枚ずつに分けて取り込む点が挙げられる。特に、紙葉類出入口１２は多様な紙葉類を必ず取り扱うことになる。前述の例では、紙幣と振込用紙等を同じ紙葉類出入口１２から取り込んでいた。
【００５６】
多様な紙葉類を１枚ずつに分けて取り込むために、ここでは紙葉類出入口１２を図１３と図１４とに示すような構成とした。
図１３は、紙葉類出入口の構成図である。
図１４は、紙葉類出入口の構成図である。
図１３と図１４において、紙葉類Ｐは利用者によってボックス３１に投入される。押板３２は紙葉類Ｐを矢印アの方向へ移動して、ピックアップローラ３３へ押し込む。ピックアップローラ３３はリンク３４に保持され、一端をベース３６に固定されたバネ３５によって、紙葉類Ｐの側へ付勢される。紙葉類Ｐはピックアップローラ３３の搬送力により、フィードローラ３７とリバースローラ３８の方へ導かれる。フィードローラ３７は紙葉類Ｐを矢印イの方向へ引き出すが、リバースローラ３８は回転しないないしは逆転することによって、２枚以上重なって引き出されることを防止している。
【００５７】
図１３と図１４は、フィードローラ３７とリバースローラ３８の異なる構成を示した図である。
図１３において、フィードローラ３７はシャフト３９及び、このシャフト３９取付けられた円盤状の複数のローラ片４０とからなっている。
リバースローラ３８はシャフト４１と複数のローラ片４０とからなっている。上記フィードローラ３７とは、重なり量Ｖにより、互いに入り組んだ構成となっている。
図１４におい、フィードローラ３７とリバースローラ３８に設けられたそれぞれのローラ片４０が所定の距離Ｓだけ離れた構成になっている。
両者の隙間Ｓは、紙葉類Ｐの厚さより大きく、紙葉類Ｐが２枚重ねた厚さより小さく設定される。それにより、同様にフィードローラ３７とリバースローラ３８への摩擦力の差により、１枚ずつに分けるものである。
【００５８】
このような取り込み方法においては、重なり量Ｖと隙間Ｓは性能を決定する重要なパラメータである。そして、最適な値は紙葉類Ｐの厚さや剛性によって変化する。そのため、フィードローラ３７のシャフト３９、あるいはリバースローラ３８のシャフト４１を、図示しないステップモータなどのアクチュエータにより移動して、重なり量Ｖと隙間Ｓを変更する。また、紙葉類Ｐの種類によっては、摩擦係数の違いなどにより、ピックアップローラ３３の搬送力を変更する必要がある。そこで、ベース３６の位置Ｔを図示しないステップモータなどのアクチュエータにより移動して、ピックアップローラ３３の紙葉類Ｐに対する押圧力を変更する。
【００５９】
このような構成により、図７のステップ１０２において処理が選択されたとき、利用者が投入する紙葉類の種類がわかるので、その紙葉類に適当な重なり量Ｖあるいは隙間Ｓ、位置Ｔに制御して、紙葉類を確実に取り込むようにできる。
【００６０】
上記のように、紙葉類取扱端末１は、紙幣やチケット、有価証券などの紙葉類を同じ紙葉類出入口１２で取り扱うことにより、利用者は紙葉類出入口１２のみにアクセスすれば良く、操作性が向上する。また、設置場所に合わせた機能の組み合わせを構成することができ、設置空間を有効に利用することができる。
【００６１】
【発明の効果】
本発明によれば、ひとつの出入り口で紙幣やチケット、プリペイドカード、普通紙などの薄く柔軟な紙葉類を取り扱うことが可能な紙葉類取扱端末を提供できる。
【図面の簡単な説明】
【図１】図１は、紙葉類取扱端末の概略構成図である。
【図２】図２は、紙葉類取扱端末の構成ブロック図である。
【図３】図３は、紙葉類取扱部の一例を示す構成図である。
【図４】図４は、機能ユニットの一構成例である。
【図５】図５は、機能ユニットの一構成例である。
【図６】図６は、機能ユニットの一構成例である。
【図７】図７は、大枠の処理の流れを示すフロー図である。
【図８】図８は、表示入力部での選択入力画面の一例を示す模式図である。
【図９】図９は、入金処理の流れを示すフロー図である。
【図１０】図１０は、出金処理の流れを示すフロー図である。
【図１１】図１１は、振込処理の流れを示すフロー図である。
【図１２】図１２は、発券処理の流れを示すフロー図である。
【図１３】図１３は、紙葉類出入口の構成図である。
【図１４】図１４は、紙葉類出入口の構成図である。
【符号の説明】
１…紙葉類取扱端末、２…紙葉類取扱部、３…表示入力部、４…認証部、５…通信部、１１…シャッタ、１２…紙葉類出入口、１３…搬送路、１４…読取部、１５…ゲート、１６…一時保管庫、１７…機能ユニット、１８…扉、１９…スロットコネクタ、２０…扉、２５…選択肢、３１、５１、６１、７１…ボックス、３２、５４…押板、３３…ピックアップローラ、３４…リンク、３５…バネ、３６…ベース、３７…フィードローラ、３８…リバースローラ、３９…シャフト、４０…ローラ片、４１…シャフト、５２、７２…搬送ローラ、５３…コンベア、５５、６４…出入口、５６、６５、７６…ユニットコネクタ、６２…受入搬送路、６３…トレー、７３…原紙ホルダ、７４…印刷器。
【図１】
2004272606.tif 000003
【図２】
2004272606.tif 000004
【図３】
2004272606.tif 000005
【図４】
2004272606.tif 000006
【図５】
2004272606.tif 000007
【図６】
2004272606.tif 000008
【図７】
2004272606.tif 000009
【図８】
2004272606.tif 000010
【図９】
2004272606.tif 000011
【図１０】
2004272606.tif 000012
【図１１】
2004272606.tif 000013
【図１２】
2004272606.tif 000014
【図１３】
2004272606.tif 000015
【図１４】
2004272606.tif 000016